(57)【要約】【課題】天井板などに設けられた狭い溝部などであっても容易に取付け・取外しが可能であり、簡単な構造で高い取付け強度を確保することができる照明器具を提供する。【解決手段】照明器具１００は、天井板Ｃの溝部Ｇに対して天井板Ｃの表側から取付けられ、天井板Ｃの表側面に少なくとも一部が当接する器具本体１と、上下に伸びる棒状体を有し、室内側から回転操作可能に器具本体１の上部に設けられる連結保持部材３と、連結保持部材３の回転操作により連結保持部材３の軸に沿って上下移動可能に設けられる移動板２５と、器具本体１が溝部Ｇに取付けられると溝部Ｇの開口幅方向両側に位置するように設けられる板ばね２２と、を備え、板ばね２２は、上端部２２ａが移動板２５と共に移動するように設けられ、下端部２２ｂが自由端として形成されるとともに器具本体１の側面側にそれぞれ当接し、中間部２２ｃが溝部Ｇの開口幅寸法よりも小さい幅寸法で最も外方に突出するように形成される。【選択図】図２
2015079675.tif 000002
【特許請求の範囲】
【請求項１】
天井板に設けられた溝部に対して天井板の表側から取付けられ、天井板の表側面に少なくとも一部が当接する器具本体と、
上下に伸びる棒状体を有し、室内側から回転操作可能に前記器具本体の上部に設けられる連結保持部材と、
前記連結保持部材の回転操作により前記連結保持部材の軸に沿って上下移動可能に設けられる移動板と、
前記器具本体が前記溝部に取付けられると前記溝部の開口幅方向両側に位置するように設けられる板ばねと、
を備え、
前記板ばねは、上端部が前記移動板と共に移動するように設けられ、下端部が自由端として形成されるとともに前記器具本体の側面側にそれぞれ当接し、中間部が前記溝部の開口幅寸法よりも小さい幅寸法で最も外方に突出するように形成されることを特徴とする照明器具。
【請求項２】
上下移動する前記移動板の上限位置よりも下方に位置し、前記溝部の最小開口幅よりも内側且つ前記移動板の最大幅よりも外側に位置する規制部を備え、
前記移動板を前記規制部の内側で上昇させると、前記板ばねの外面部が前記規制部に当接することを特徴とする請求項１に記載の照明器具。
【発明の詳細な説明】
【技術分野】
【０００１】
本発明は、天井板などに埋め込み設置される照明器具に関する。
【背景技術】
【０００２】
従来、例えば、天井板に設けられた溝部などに室内側から取付けるように構成され、内部に光源を有し、天井板の表側面に当接するフランジを下部に設けた器具本体を備える埋め込み式の照明器具の取付け構造には、様々なものが知られている。
【０００３】
特許文献１には、天井板の裏側面に当接する取付金具を器具本体の側壁に備え、器具本体の内側から指を差し込むなどすることによって取付金具を天井板の裏側面に当接させて、取付金具及び器具本体のフランジで天井板を挟み込んで取付けるものが開示されている。
【０００４】
特許文献２には、溝部に配置した時に屈曲した状態となり、外方へ広がろうとする応力によって溝部内面を押圧する取付金具を器具本体の側壁に備え、取付金具の広がりを溝部の開口幅寸法より小さく抑えた状態にして器具本体を溝部に嵌め込ませ、取付金具及び器具本体のフランジで天井板を挟み込んで取付けるものが開示されている。
【０００５】
特許文献３には、コ字状に形成され、天井板の裏側面に当接するフランジ状の当接部を両側壁に有する施工具が器具本体の上部に備えられ、器具本体の両側壁に設けられたフランジの上面側を溝部の表側面に当接させた状態で、ねじを回転させることによって施工具の当接部下面側を溝部の裏側面に当接させ、施工具及び器具本体のフランジで天井板を挟み込んで取付けるものが開示されている。
【先行技術文献】
【特許文献】
【０００６】
【特許文献１】実用新案登録第３０３３２３４号公報
【特許文献２】特許第４７１６９２４号公報
【特許文献３】特開２０１０−４０２０３号公報
【発明の概要】
【発明が解決しようとする課題】
【０００７】
しかしながら、特許文献１のような取付け構造では、狭い溝部などに照明器具が取付けられる場合には、照明器具の内側から指を差し込んで取付金具を操作して取付け作業を行うことは困難であった。
【０００８】
また、特許文献２のような取付け構造では、取付時に取付金具の広がりを押さえながら溝部に嵌め込ませる必要があり、溝部に嵌め込ませている最中に自然に広がった取付金具が溝部の端部などに接触する或いは擦れるなどして天井板などの造営材が損傷するという問題があった。
【０００９】
フランジ及び天井板間の摩擦力により取付強度を確保した特許文献１や取付金具の広がろうとする応力により取付強度を確保する特許文献２のような取付け構造では、天井板面に対する取付け強度が低く、取付け強度を高めるために改善の余地があった。
【００１０】
更に、特許文献３のような取付け構造では、器具本体のフランジ及び施工具の当接部で挟み込むように取付けられる溝部両側の天井板が同じ厚さに設定されていなければ、フランジ及び当接部で挟み込んだ両側の天井板のうち何れか一方が天井板面と当接するに至らず、天井板面とフランジ或いは当接部との間に隙間が生じて天井板に取付けを行うことができないという問題があった。
【課題を解決するための手段】
【００１１】
本発明は、天井板に設けられた狭い溝部などであっても容易に取付け・取外しが可能であり、簡単な構造で高い取付け強度を確保することができる照明器具の提供を目的とする。
【００１２】
即ち、本発明は下記［１］〜［２］に記載の構成を有する。
【００１３】
［１］  天井板に設けられた溝部に対して天井板の表側から取付けられ、天井板の表側面に少なくとも一部が当接する器具本体と、
上下に伸びる棒状体を有し、室内側から回転操作可能に前記器具本体の上部に設けられる連結保持部材と、
前記連結保持部材の回転操作により前記連結保持部材の軸に沿って上下移動可能に設けられる移動板と、
前記器具本体が前記溝部に取付けられると前記溝部の開口幅方向両側に位置するように設けられる板ばねと、
を備え、
前記板ばねは、上端部が前記移動板と共に移動するように設けられ、下端部が自由端として形成されるとともに前記器具本体の側面側にそれぞれ当接し、中間部が前記溝部の開口幅寸法よりも小さい幅寸法で最も外方に突出するように形成されることを特徴とする照明器具。
【００１４】
［２］  上下移動する前記移動板の上限位置よりも下方に位置し、前記溝部の最小開口幅よりも内側且つ前記移動板の最大幅よりも外側に位置する規制部を備え、
前記移動板を前記規制部の内側で上昇させると、前記板ばねの外面部が前記規制部に当接することを特徴とする前項１に記載の照明器具。
【発明の効果】
【００１５】
上記［１］に記載の発明によれば、天井板に設けられた溝部に対して天井板の表側から取付けられ、天井板の表側面に少なくとも一部が当接する器具本体と、上下に伸びる棒状体を有し、室内側から回転操作可能に器具本体の上部に設けられる連結保持部材と、連結保持部材の回転操作により連結保持部材の軸に沿って上下移動可能に設けられる移動板と、器具本体が溝部に取付けられると溝部の開口幅方向両側に位置するように設けられる板ばねと、を備え、板ばねは、上端部が移動板と共に移動するように設けられ、下端部が自由端として形成されるとともに器具本体の側面側にそれぞれ当接し、中間部が溝部の開口幅寸法よりも小さい幅寸法で最も外方に突出するように形成されるので、器具本体と板ばねとで天井板を挟み込むような単純な構造によって、室内側から連結保持部材の回転操作をするだけで天井板に照明器具を容易に取付けることができる。
【００１６】
移動板が下降して板ばねの下端部が器具本体の側面側に当接しながら、器具本体の下部或いは天井板の上面などに接触して上下方向の位置が固定されることにより、板ばねの中間部を溝部の開口幅寸法よりも外方に突出させて天井板の裏面側に当接させることができ、器具本体の一部と共に天井板を表裏から挟み込むようにして照明器具を確実に取付固定することができる。
【００１７】
最も外方に突出するように形成されている板ばねの中間部でさえも溝部の開口幅寸法よりも小さい寸法で形成されているので、照明器具を溝部に嵌め込ませている最中に板ばねが溝部の開口幅寸法以上に自然に広がるなどしないため、溝部の端部などに接触する或いは擦れるなどして天井板の造営材が損傷する虞がない。
【００１８】
板ばねが天井板の裏側面に当接することにより、板ばねの天井板を押さえつける力を利用して、器具本体の一部と共に天井板を挟み込むことができるので、必要な取付強度を確保することができる。
【００１９】
板ばねを用いるので、天井板の溝部の両側の厚みがそれぞれ異なる場合であっても、板ばねの弾性力を利用して板厚の異なる両側の天井板に合わせることができ、照明器具を確実に取付固定することができる。
【００２０】
上記［２］に記載の発明によれば、上下移動する移動板の上限位置よりも下方に位置し、溝部の最小開口幅よりも内側且つ移動板の最大幅よりも外側に位置する規制部を備え、移動板を規制部の内側で上昇させると、板ばねの外面部が規制部に当接するので、板ばねを溝部の開口幅寸法よりも確実に小さい寸法に抑えるよう規制することができるため、照明器具を溝部から確実に取り外すことができる。
【００２１】
即ち、取付けられた照明器具を溝部から取り出すためには、板ばねの外方への突出幅寸法を溝部の開口幅寸法よりも小さくする必要があるところ、取付けられた溝部の開口幅寸法よりも大きく外方に突出した板ばねが、経年変化などにより溝部の開口幅寸法よりも大きく変形した状態のままで溝部の開口幅寸法よりも小さい幅寸法になり難い場合がある。
【００２２】
このような場合であっても、移動板が規制部の内側で上昇することにより、板ばねが規制部に当接して、板ばねの外方へ突出した部位が強制的に溝部の最小開口幅よりも小さい規制部の内側に押さえ込まれて、板ばねを溝部の開口幅寸法よりも確実に小さい寸法に抑えるよう規制することができるため、照明器具を溝部から確実に取り外すことができる。
【図面の簡単な説明】
【００２３】
【図１】本発明に係る照明器具の外観説明図である。
【図２】本発明に係る照明器具の斜視図である。
【図３】本発明に係る照明器具の取付固定具について説明するための説明図である。
【図４】本発明に係る照明器具の取付け方法について説明するための説明図である。
【図５】本発明に係る照明器具の取外し方法について説明するための説明図である。
【図６】規制部を設けない場合の取付固定具について説明するための説明図である。
【発明を実施するための形態】
【００２４】
以下、図面を参照して、本発明の実施形態について説明する。
【００２５】
図１は、照明器具１００の外観説明図、図２は、照明器具１００の斜視図、図３は、照明器具１００の取付固定具２について説明するための説明図、図４は、照明器具１００の取付け方法について説明するための説明図、図５は、照明器具１００の取外し方法について説明するための説明図、図６は、規制部２７を設けない場合の取付固定具について説明するための説明図である。
【００２６】
本発明に係る照明器具１００は、天井板Ｃに設けられた溝部Ｇに対して取付けられるものである。
【００２７】
以降、照明器具１００が天井板Ｃに取付けられる場合について説明するものとし、天井板Ｃを境に室内側を表側、その反対側を裏側と定義する。また、室内側を下側、その反対側を上側と定義する。
【００２８】
照明器具１００は、器具本体１と、連結保持部材３と、取付固定具２を備え、取付固定具２には、上下に伸びる棒状体を有する連結保持部材３が挿通され、連結保持部材３は室内側から回転操作可能に設けられている。
【００２９】
器具本体１は、アルミニウムなどの金属からなり、天井板Ｃに設けられた溝部Ｇに、天井板Ｃの表側面から埋め込まれるようにして取付けられる。
【００３０】
尚、器具本体１は、金属からなるものだけでなく、樹脂からなるものであってもよい。
【００３１】
図１（ａ）照明器具１００の正面図、（ｂ）照明器具１００の平面図、（ｃ）照明器具１００の側面で示すように、器具本体１は、直方体状に形成され、その外面上部には、天井板Ｃに設けられた溝部Ｇに取付ける際に、器具本体１を埋め込むように取付け固定するための後述する取付固定具２などが設けられている。
【００３２】
器具本体１は、短手方向の切断断面がコ字状に形成されており、コ字状の内部に照明の光源となるＬＥＤや回路などが設けられた発光部、及びスポットライトやペンダントライトなどの照明灯具をスライド自在に装着可能なダクトレール部（図示しない）などを備え、発光部の設けられた部位が、透光性を有する板状体などからなる蓋部１３で閉塞されている。
【００３３】
器具本体１には、長手方向に沿って両側下端部に鍔部１１が設けられている。
【００３４】
器具本体１が、埋め込むように溝部Ｇに取付けられた際に、当該鍔部１１の上面側が、天井板Ｃの溝部Ｇの下側面、即ち、天井板Ｃの溝部Ｇの表側面に当接するように構成されている。
【００３５】
鍔部１１の天井板Ｃの表側面に当接する部位には、例えば、鍔部１１と天井板Ｃとの気密が保持されるように気密用パッキンが設けられている。
【００３６】
器具本体１の上部には、器具本体１を天井板Ｃに取付ける際に、連結保持部材３を室内側、例えば、器具本体１内部から回転操作可能にするために設けられた操作孔１２を備える。
【００３７】
操作孔１２は、器具本体１内部から回転操作しやすいように、連結保持部材３の棒状体、例えば、ネジ部材３１の径よりも十分に大径に形成されている。
【００３８】
取付固定具２は、アルミニウムなどの金属からなり、板状体で形成された枠体２１と、枠体２１が取付けられる底板２３と、取付固定具２に挿通された連結保持部材３と、弾性力を有する板ばね２２と、連結保持部材３の軸に沿って上下移動可能に設けられる一枚の移動板２５と、を備える。
【００３９】
取付固定具２は、器具本体１が天井板Ｃの表側面から溝部Ｇに埋め込まれるようにして取付けられると、天井板Ｃの裏側に位置するように器具本体１に設けられており、例えば、図示するように器具本体１の上部に設けられている。
【００４０】
枠体２１は、板状体が屈曲形成されてなり、底板２３を介して器具本体１の長手方向に対して平行にねじ留めされ、器具本体１の上部に凸状に配設される。
【００４１】
枠体２１が取付けられる底板２３には、器具本体１の上面に設けられた操作孔１２よりも小径な挿通孔２３１が形成されており、挿通孔２３１が器具本体１の操作孔１２と重なるように底板２３が配設され、底板２３の上に枠体２１が取付けられている。
【００４２】
凸状に形成された枠体２１は、器具本体１の短手方向両側が開口した開口部２１１を有している。
【００４３】
枠体２１の上部には、連結保持部材３のネジ部材３１よりも大径な挿通孔２４が設けられており、器具本体１の操作孔１２から挿入された連結保持部材３が当該挿通孔２４に挿通される。
【００４４】
枠体２１の内側には、板ばね２２が取付けられた移動板２５が設けられている。
【００４５】
移動板２５には、雄ねじである連結保持部材３が螺合する雌ねじが形成された螺合孔２６が設けられて、枠体２１内で連結保持部材３の軸に沿って上下移動可能に構成されている。
【００４６】
螺合孔２６に螺合される連結保持部材３のネジ部材３１は、器具本体１の操作孔１２を介して器具本体１内部から回転操作可能に設けられ、移動板２５が、連結保持部材３の回転操作に伴って上昇或いは下降するように構成される。
【００４７】
移動板２５は、枠体２１の内部で上下移動可能な寸法の方形状に形成されており、枠体２１の両側壁によって回転が規制される。
【００４８】
ネジ部材３１は、器具本体１上部に設けられた操作孔１２から底板２３の挿通孔２３１に挿入されて、螺合孔２６及び枠体２１上部の挿通孔２４に挿通されて、ナットなどの締結部材３２により取付固定具２の上部で締結されている。
【００４９】
板ばね２２は、弾性力を有する一枚の板状の素材からなり、移動板２５の底部の形状に合わせて屈曲形成されて移動板２５の底部に取り付けられている。
【００５０】
板ばね２２の両端部は、下端部２２ｂとして下方に垂れ下がるように設けられている。
【００５１】
尚、「取付けられる」とは、溶接などによって移動板２５に板ばね２２が固定的に取付けられる状態、及び移動板２５及び板ばね２２が個別に設けられて、移動板２５に板ばね２２が張り付く或いは当接するなどの状態の両方を含む意味で用いる。
【００５２】
板ばね２２は、器具本体１が溝部Ｇに取付けられると、溝部Ｇの開口幅方向両側に位置するように設けられる。
【００５３】
板ばね２２には、移動板２５の螺合孔２６と共に連結保持部材３が取付けられる孔２２１が設けられ、板ばね２２の孔２２１は、例えば、雌ねじが形成された移動板２５の螺合孔２６の径よりも大径に形成される。
【００５４】
尚、板ばね２２の孔２２１は、螺合孔２６の径と同寸法に形成されるのであってもよく、少なくとも連結保持部材３が螺合孔２６に螺合され、移動板２５が連結保持部材３の軸に沿って移動可能に構成されるのであればよい。
【００５５】
板ばね２２は、上端部２２ａが移動板２５と共に移動するように、後述する付勢部材３３によって上方に付勢されて移動板２５の底部に張り付くようにして設けられ、枠体２１の各開口部２１１から枠体２１の外部下方側へ延びるように設けられている。
【００５６】
板ばね２２は、各下端部２２ｂが自由端として形成されており、下端部２２ｂが、例えば、器具本体１の側面下部にそれぞれ当接している。
【００５７】
板ばね２２は、移動板２５の移動に伴って変形するよう構成されており、移動板２５が下降することによって、板ばね２２の下端部２２ｂが器具本体１の側面側に当接しながら、器具本体１の下部或いは天井板Ｃの上面などに接触して上下方向の位置が固定され、板ばね２２の中間部２２ｃが溝部Ｇの開口幅方向により突出するように撓む。
【００５８】
一方、移動板２５が上昇により板ばね２２の上端部２２ａが上昇移動することによって、上方に引き伸ばされて中間部２２ｃの外方への突出量を減少させるように構成されている。
【００５９】
板ばね２２の形状について詳述すると、移動板２５が最も上部に位置している場合、板ばね２２は、移動板２５から下端部２２ｂにかけて、緩やかに外方へ湾曲した形状に形成されている。
【００６０】
移動板２５が最も上部に位置している場合、板ばね２２の中間部２２ｃが、最も外方に突出するように形成されているが、最大に突出した部位であっても溝部Ｇの開口幅寸法よりも小さい幅寸法となるように設定されている。
【００６１】
板ばね２２の下端部２２ｂは、自由端として形成されていても、器具本体１の側面下端部に当接して鍔部１１より下方に下がらないように構成されているため、移動板２５の位置を徐々に下げていくことにより、板ばね２２が、移動板２５の移動量に応じて外方へ張り出すように徐々に撓んで湾曲した状態となり、移動板２５が最も下部に位置する場合には、板ばね２２は、最も外方に張り出すように湾曲した形状、即ち、最も外方に突出した形状に変形する。
【００６２】
板ばね２２の下端部２２ｂは、自由端として形成されているので、移動板２５の上下移動に合わせて自由に移動することができ、取付けられる天井板Ｃの厚さに合わせて板ばね２２を自在に撓ませて天井板Ｃの裏面に当接させることができる。
【００６３】
例えば、板ばね２２は、移動板２５が下降することにより、その下端部２２ｂの板面が、器具本体１の天井板Ｃの表側面に当接する一部（鍔部１１）の上面基端部に当接する、或いは、溝部Ｇと器具本体１の側面の間の隙間が狭い場合には、器具本体１の側面に接する天井板Ｃの裏側面の端部に当接することにより、即ち、板ばね２２の下端部２２ｂが少なくとも器具本体１の側面側に当接することにより、取付けられる天井板Ｃの厚さに合わせて板ばね２２を自在に撓ませることができる。
【００６４】
照明器具１００は、板ばね２２が、連結保持部材３の回転操作によって移動板２５が下降すると、溝部Ｇの開口幅寸法よりも外方に広がるように変形して天井板Ｃの裏側面に当接することによって、移動板２５が下方に移動して取付固定具２の溝部Ｇの開口幅方向に張り出した板ばね２２と器具本体１の鍔部１１とによって表裏から挟み込むようにして、天井板Ｃに取付固定される。
【００６５】
板ばね２２は、移動板２５の下降に伴って、溝部Ｇの開口幅寸法よりも大きく張り出すように撓むので、溝部Ｇに取付けた照明器具１００が天井板Ｃから外れるなどすることなく、鍔部１１と共に挟み込んで確実に天井板に取付けることができる。
【００６６】
底板２３と板ばね２２との間には、例えばスプリングばねなどからなる付勢部材３３が設けられて構成されると好ましい。
【００６７】
付勢部材３３を底板２３と板ばね２２との間に設けることによって、板ばね２２を常時上方に付勢することができるようになり、また、板ばね２２のがたつきを防止することができる。
【００６８】
尚、付勢部材３３は、図示した形態に限定されるものではなく、例えば、連結保持部材３の軸に装着されるものでなくてもよいし、少なくとも板ばね２２を常時上方に付勢することができるものであればよい。
【００６９】
枠体２１は、その上方に規制部２７を備え、規制部２７の下端部が、図示するように、溝部Ｇの開口幅方向両側に、各板ばね２２の板面と対向するように形成されている。
【００７０】
規制部２７は、溝部Ｇの幅方向両側に設けられた規制部２７同士の間隔が、下方に向かって徐々に広がるよう、下方に向かって末広がりに形成されている。
【００７１】
規制部２７は、その下端部が、上下移動する移動板２５の上限位置よりも下方に位置し、溝部Ｇの最小開口幅よりも内側且つ移動板２５の最大幅よりも外側に位置するように設定されている。
【００７２】
尚、移動板２５の上限位置とは、枠体２１の内側で移動板２５を上昇させることができる上限位置を示す。
【００７３】
このように構成されることにより、移動板２５が規制部２７の内側で上下移動可能となり、規制部２７は、取付固定具２を取外す際に移動板２５を規制部２７の内側で上昇させると、板ばね２２の外面部、即ち、板ばね２２の板面が規制部２７の下端部に当接するように構成されている。
【００７４】
このように構成することにより、板ばね２２が規制部２７に当接して板ばね２２の外方への突出を強制的に内側に閉じるように変形させて、溝部Ｇの開口幅寸法よりも小さい寸法に抑えることができる。
【００７５】
例えば、長期間、照明器具１００が天井板Ｃに取付けられるなどすると、取付固定具２を取外す際に、本来は移動板２５の上昇に伴って板ばね２２が緩やかに外方へ湾曲した取付時の元の形状、即ち、溝部Ｇの開口幅寸法よりも小さい寸法に戻るべきであるところ、溝部Ｇの開口幅寸法よりも大きく外方に張り出すように撓んだ板ばね２２が、撓んだそのままの状態でクセづいてしまい、元の形状に戻り難くなることがある。
【００７６】
板ばね２２が撓んだ状態のままであっても、規制部２７の下端部が板ばね２２の外面部に当接しながら、移動板２５が上昇して板ばね２２が付勢部材３３の付勢力で上方に引き上げられることによって、板ばね２２の撓みが上端部２２ａ側から徐々に規制部２７の下端部に押さえ込まれて抑制され、規制部２７の内側に板ばね２２が収容される。
【００７７】
規制部２７は、移動板２５が最も上部に位置している場合に、規制部２７の下端部が板ばね２２の外面部に当接するように構成されていれば、板ばね２２のそれ以上外方への広がりを抑制することもできる。
【００７８】
図６に示すように枠体２１に規制部２７が設けられていなければ、板ばね２２がこのように撓んだ状態となったままで取付固定具を取り外す際、移動板２５の上昇と共に撓んだままの板ばね２２が変形した形状のままで上昇してしまい、板ばね２２の幅寸法が溝部Ｇの開口幅寸法よりも小さくならないため、溝部Ｇから照明装置を取り外せなくなってしまう。
【００７９】
上述したように、図１〜５に示すように規制部２７を設けていれば、上述したように板ばね２２が大きく変形した状態のまま溝部Ｇの開口幅寸法よりも小さい幅寸法になり難い場合であっても、規制部２７によって板ばね２２の外方への広がりを抑制することにより、枠体２１の内側に板ばね２２が収容されて溝部Ｇから照明装置を取り外すことができる。
【００８０】
図３，４に基づいて、器具本体１の上部に取付固定具２が設置された照明器具１００の取付方法について説明する。
【００８１】
図３に示すように、移動板２５が上部に位置し、板ばね２２が、溝部Ｇの開口幅寸法よりも狭い幅寸法で緩やかに外方へ湾曲する状態を取付固定具２の初期状態とする。
【００８２】
まず、取付固定具２は初期状態に設定しておき、溝部Ｇの開口に取付固定具２を上部から差し入れ、器具本体１の鍔部１１の上面を天井板Ｃの表側面に当接させる。
【００８３】
図４（ａ）に示すように、鍔部１１の上面を天井板Ｃの表側面に当接させた状態で、器具本体１の内側からドライバーなどを挿し込んで連結保持部材３を軸周りに回転させる（例えば、時計回りに回転させる）。
【００８４】
尚、器具本体１の内側からドライバーなどを挿し込む場合には、器具本体１の蓋部１３に予め設けられた孔を介して挿し込む、或いは器具本体１の蓋部１３を予め取り外すことによって挿し込むなどすればよい。
【００８５】
連結保持部材３の回転動作に伴って移動板２５が徐々に下降すると共に、板ばね２２の下端部２２ｂが器具本体１の側面に当接するなどして、板ばね２２が徐々に外方に張り出すように撓んでいく。
【００８６】
更に連結保持部材３を回転操作することにより、図４（ｂ）に示すように、板ばね２２の下端部２２ｂが、器具本体の鍔部１１の上面に当接して上下方向の位置が固定されて、板ばね２２の外面部（板面）が外方に張り出すように撓み、外方に突出した板ばね２２の外面部（板面）が天井板Ｃの裏側面に当接することにより、器具本体１の鍔部１１と共に天井板Ｃを表裏から挟み込む。
【００８７】
板ばね２２の外面部が天井板Ｃの裏側面に当接し、器具本体１の鍔部１１上面が天井板Ｃの表側面に当接することによって、天井板Ｃが板ばね２２及び器具本体１の鍔部１１で表裏から挟み込むようにして取付固定される。
【００８８】
続いて、図５に基づいて照明器具１００の取外し方法について説明する。
【００８９】
板ばね２２及び器具本体１の鍔部１１で表裏から天井板Ｃが挟み込まれ、板ばね２２が外方に張り出すように突出している状態で、器具本体１の内側からドライバーなどを挿し込んで、連結保持部材３を軸周りに取付時と逆方向に回転させる（例えば、反時計回りに回転させる）。
【００９０】
上述したように、照明器具１００が長期間、天井板Ｃに取付けられるなどすると、板ばね２２の撓みがクセづいてしまって元の形状に戻り難くなることがあり、この場合、図５（ａ）に示すように、連結保持部材３の回転動作に伴って移動板２５が徐々に上昇すると共に、下端部２２ｂが自由端となっているために外方に張り出すように撓んだままの板ばね２２も、付勢部材３３の付勢力により上方に付勢されて徐々に上昇していく。
【００９１】
図５（ｂ）に示すように、上昇した板ばね２２の外面部が規制部２７の下端に当接すると、外方に張り出した撓みが内側に押し戻され、板ばね２２のそれ以上外方への広がりを抑制する。
【００９２】
更に連結保持部材３を回転操作することにより、移動板２５の上昇と共に、外方への広がりが抑制された板ばね２２は規制部２７の内側に徐々に収容されていく。
【００９３】
板ばね２２が規制部２７内側に収容されて、板ばね２２の幅寸法が溝部Ｇの開口幅寸法よりも小さくなれば、取付固定具２を下方から取り出すことにより照明器具１００を取り外す。
【００９４】
上述では、規制部２７が溝部Ｇの開口幅方向両側に設けられ、下方へ向かって末広がりに形成されるように説明したが、これに限定されるものではなく、少なくとも規制部２７が、移動板２５の上昇に伴って上昇する板ばね２２の溝部Ｇの開口幅以上の張り出しを溝部Ｇの開口幅よりも小さい寸法に抑制できるよう構成されているのであればよい。
【００９５】
例えば、移動板２５の上昇に伴い上昇する板ばね２２の板面が当接する棒状体を規制部として設け、当該棒状体が取付固定具２の何れかの部位に取付けられるように構成すればよい。
【００９６】
上述では、枠体２１内に移動板２５が設けられ、当該移動板２５の底部に板ばね２２が取付けられるように説明したが、例えば、移動板２５を設けずに、移動板２５に該当する部分の板ばね２２の厚みを増して強度を高めた構成とするのであってもよい。
【００９７】
また、上述の説明では、板ばね２２の上端部２２ａが移動板２５の底部に張り付くように取付けられるよう説明したが、これに限定されるものではなく、溶接などによって上端部２２ａが移動板２５に固定的に取付けられるのであってもよいし、上端部２２ａが移動板２５の上部と張り付くように取付けられたり、移動板２５の上部に固定的に取付けられるのであってもよく、少なくとも板ばね２２の上端部２２ａが移動板２５と共に移動するように設けられるように構成されるのであればよい。
【００９８】
尚、板ばね２２の上端部２２ａが移動板２５の上部と張り付くように取付けられる場合には、例えば、枠体２１の上部板と板ばね２２との間に、板ばね２２を常時下方に付勢する、即ち、板ばね２２を常時移動板２５側に付勢する付勢部材などを設けて、上端部２２ａが移動板２５と張り付くように構成すればよい。
【００９９】
上端部２２ａが移動板２５に張り付くように構成する手段は、付勢力を利用するものに限定されるものではなく、例えば、磁力などを利用するのであってもよい。
【０１００】
上述では、天井板Ｃに照明器具１００が取付けられるように説明したが、壁面に照明器具１００が取付けられる場合にも本発明の取付固定具２による取付けが可能である。
【０１０１】
以上説明したように、天井板Ｃに設けられた溝部Ｇに対して天井板Ｃの表側から取付けられ、天井板Ｃの表側面に少なくとも一部が当接する器具本体１と、上下に伸びる棒状体を有し、室内側から回転操作可能に器具本体１の上部に設けられる連結保持部材３と、連結保持部材３の回転操作により連結保持部材３の軸に沿って上下移動可能に設けられる移動板２５と、器具本体１が溝部Ｇに取付けられると溝部Ｇの開口幅方向両側に位置するように設けられる板ばね２２と、を備え、板ばね２２は、上端部２２ａが移動板２５と共に移動するように設けられ、下端部２２ｂが自由端として形成されるとともに器具本体１の側面側にそれぞれ当接し、中間部２２ｃが溝部Ｇの開口幅寸法よりも小さい幅寸法で最も外方に突出するように形成されるので、器具本体１と板ばね２２とで天井板Ｃを挟み込むような単純な構造によって、室内側から連結保持部材３の回転操作をするだけで天井板Ｃに照明器具１００を容易に取付けることができる。
【０１０２】
移動板２５が下降して板ばね２２の下端部２２ｂが器具本体１の側面側に当接しながら、器具本体１の下部或いは天井板Ｃの上面などに接触して上下方向の位置が固定されることにより、板ばね２２の中間部２２ｃを溝部Ｇの開口幅寸法よりも外方に突出させて天井板Ｃの裏面側に当接させることができ、器具本体１の一部と共に天井板Ｃを表裏から挟み込むようにして照明器具１００を確実に取付固定することができる。
【０１０３】
最も外方に突出するように形成されている板ばね２２の中間部２２ｃでさえも溝部Ｇの開口幅寸法よりも小さい寸法で形成されているので、照明器具１００を溝部Ｇに嵌め込ませている最中に板ばね２２が溝部Ｇの開口幅寸法以上に自然に広がるなどしないため、溝部Ｇの端部などに接触する或いは擦れるなどして天井板Ｃの造営材が損傷する虞がない。
【０１０４】
板ばね２２が天井板Ｃの裏側面に当接することにより、板ばね２２の天井板Ｃを押さえつける力を利用して、器具本体１の一部と共に天井板Ｃを挟み込むことができるので、必要な取付強度を確保することができる。
【０１０５】
板ばね２２を用いるので、天井板Ｃの溝部Ｇの両側の厚みがそれぞれ異なる場合であっても、板ばね２２の弾性力を利用して板厚の異なる両側の天井板Ｃに合わせることができ、照明器具１００を確実に取付固定することができる。
【０１０６】
また、上下移動する移動板２５の上限位置よりも下方に位置し、溝部Ｇの最小開口幅よりも内側且つ移動板２５の最大幅よりも外側に位置する規制部２７を備え、移動板２５を規制部２７の内側で上昇させると、板ばね２２の外面部（板面）が規制部２７に当接するので、板ばね２２を溝部Ｇの開口幅寸法よりも確実に小さい寸法に抑えるよう規制することができるため、照明器具１００を溝部Ｇから確実に取り外すことができる。
【０１０７】
即ち、取付けられた照明器具１００を溝部Ｇから取り出すためには、板ばね２２の外方への突出幅寸法を溝部Ｇの開口幅寸法よりも小さくする必要があるところ、取付けられた溝部Ｇの開口幅寸法よりも大きく外方に突出した板ばね２２が、経年変化などにより溝部Ｇの開口幅寸法よりも大きく変形した状態のままで溝部Ｇの開口幅寸法よりも小さい幅寸法になり難い場合がある。
【０１０８】
このような場合であっても、移動板２５が規制部２７の内側で上昇することにより、板ばね２２が規制部２７に当接して、板ばね２２の外方へ突出した部位が強制的に溝部Ｇの最小開口幅よりも小さい規制部２７の内側に押さえ込まれて、板ばね２２を溝部Ｇの開口幅寸法よりも確実に小さい寸法に抑えるよう規制することができるため、照明器具１００を溝部Ｇから確実に取り外すことができる。
【０１０９】
以上説明した実施形態は、本発明の一例に過ぎず、本発明の作用効果を奏する範囲において具体的構成などを適宜変更設計できることは言うまでもない。
【符号の説明】
【０１１０】
１…器具本体
２…取付固定具
３…連結保持部材
２２…板ばね
２５…移動板
２７…規制部
１００…照明器具
Ｃ…天井板
Ｇ…溝部
【図１】
2015079675.tif 000003
【図２】
2015079675.tif 000004
【図３】
2015079675.tif 000005
【図４】
2015079675.tif 000006
【図５】
2015079675.tif 000007
【図６】
2015079675.tif 000008